(57)【要約】【課題】搬送波周波数の異なる複数の無線信号を同時に受信し、受信性能の安定性を犠牲にすることなく、回路規模、消費電力及びコストの抑制を実現することが可能なマルチバンド受信器を提供すること。【解決手段】マルチバンド受信器１は、第１の局部発振器３０によって、第２の無線信号の搬送波周波数近傍の周波数を有する中間周波数信号に、第１の無線信号を変換する第１高周波回路ブロック１０と、第２の局部発振器５０によって、中間周波数信号と第２の無線信号とのうち、いずれか一方をＤＣ信号に、他方をＬｏｗＩＦ信号に変換し、変換後のそれぞれの信号を、共通のアナログＩＱ直交復調器４２を用いてＩＱ信号に変換し、変換後のそれぞれのＩＱ信号をアナログ−デジタル変換する共通ＩＦ／ＢＢブロックとを備える。【選択図】図１
2009239407.tif 000002
【特許請求の範囲】
【請求項１】
搬送波周波数が異なる第１の無線信号及び第２の無線信号を同時に受信するマルチバンド受信器において、
第１の局部発信器によって、前記第２の無線信号の搬送波周波数近傍の周波数を有する中間周波数信号に、前記第１の無線信号を変換する高周波回路ユニットと、
第２の局部発振器によって、前記中間周波数信号と前記第２の無線信号とのうち、いずれか一方をＤＣ信号に、他方をＬｏｗＩＦ信号に変換し、変換後のそれぞれの信号を、共通のアナログＩＱ直交復調器を用いてＩＱ信号に変換し、変換後のそれぞれのＩＱ信号をアナログ−デジタル変換する共通ＩＦ／ＢＢユニットと
を備えることを特徴とする、マルチバンド受信器。
【請求項２】
前記高周波回路ユニットは、
前記第１の無線信号が複数の信号である場合、
当該複数の信号を、第１の局部発信器によって、前記第２の無線信号の搬送波周波数近傍の周波数を有する複数の中間周波数信号に変換し、
共通ＩＦ／ＢＢユニットは、
前記第２の局部発振器によって、前記複数の中間周波数信号と前記第２の無線信号とのうち、いずれか一方をＤＣ信号に、他方をＬｏｗＩＦ信号に変換し、変換後のそれぞれの信号を、共通のアナログＩＱ直交復調器を用いてＩＱ信号に変換し、変換後のそれぞれのＩＱ信号をアナログ−デジタル変換する
ことを特徴とする、請求項１に記載のマルチバンド受信器。
【請求項３】
前記共通ＩＦ／ＢＢユニットは、
前記第１の無線信号における第１の変調方式と前記第２の無線信号における第２の変調方式とが異なる場合に、前記第１の変調方式がＯＦＤＭ変調方式であれば、前記中間周波数信号をＤＣ信号に変換し、前記第２の変調方式がＯＦＤＭ変調方式であれば、前記第２の無線信号をＤＣ信号に変換する
ことを特徴とする、請求項１に記載のマルチバンド受信器。
【発明の詳細な説明】
【技術分野】
【０００１】
本発明は、搬送波周波数の異なる無線信号を同時に受信するマルチバンド受信器に関する。
【背景技術】
【０００２】
複数の異なる搬送波周波数を使用する無線アプリケーションが、単数の搬送波周波数を使用した無線アプリケーションと比較して期待される効果は、周波数によって異なる伝搬特性を使用するシーンに合わせて使い分けることができるということである。この使い分けによって、より安定した無線通信環境を構築することが可能となり、高品質の移動無線アプリケーションを実現できる。
【０００３】
例えば、車車間通信システムは、現在、５．８ＧＨｚ帯のＤＳＲＣ（Ｄｅｄｉｃａｔｅｄ  Ｓｈｏｒｔ  Ｒａｎｇｅ  Ｃｏｍｍｕｎｉｃａｔｉｏｎｓ）の無線チャネルを使用する車車間通信システムの他に、新たにＵＨＦ（Ｕｌｔｒａ  Ｈｉｇｈ  Ｆｒｅｑｕｅｎｃｙ）帯の無線チャネルを割り当てられる予定である。ＵＨＦ帯の見通し外における電波回り込みという利点と、５．８ＧＨｚ帯の電波の直進性及び電波が飛びすぎないという利点とを使い分けることで、車車間通信システムの高品質化が得られ、安全運転支援向けアプリケーションが提供可能である。
【０００４】
但し、車の実装を必要とするアプリケーションは、市場規模が大きいことが予想され、システムの普及には、装置サイズ（回路規模）、消費電力及びコストが重要なパラメータとなる。今日の無線システム市場にて、異なる搬送波周波数帯の無線信号を同時に受信することが必要とされるアプリケーションで、市場規模が大きいシステム例はない。
【０００５】
従来のマルチバンド受信器としては、例えば、特許文献１や特許文献２が開示されている。
【０００６】
【特許文献１】特開２００７−２５８９０４号公報
【特許文献２】特表２００５−５０４４７６号公報
【発明の開示】
【発明が解決しようとする課題】
【０００７】
しかし、特許文献１に開示されている技術によれば、回路規模やコスト面において部品共通化によるメリットはあるものの、搬送波周波数が異なる複数の無線信号を同時受信することは不可能であるという問題があった。
【０００８】
また、特許文献２に開示されている技術によれば、受信した複数の無線信号同士の搬送波周波数が大きく離れた場合、ミキサ部及び局部発振部の直交バランスにおいて広帯域に良好な特性を得ることは困難である。つまり、受信した複数の無線信号を共通の直交復調器にて復調しようとすると、位相シフトする過程で同相成分（Ｉ成分）と直交成分（Ｑ成分）とのバランス（ＩＱバランス）が崩れる直交誤差が生じ、正常に復調することが困難であるという問題があった。また、５ＧＨｚ帯を超える信号を受信した場合、周波数変換する前の段階での可変利得増幅器は、ダイナミックレンジ幅、利得の周波数特性及び消費電力において困難が予想される。
【０００９】
そこで、本発明は、上記問題に鑑みてなされたものであり、本発明の目的とするところは、搬送波周波数の異なる複数の無線信号を同時に受信し、かつ、受信器内で複数の受信信号の処理時間にプライオリティを付与することが許されないリアルタイム性を有する無線システムに適用される無線装置において、受信性能の安定性を犠牲にすることなく、回路規模、消費電力及びコストの抑制を実現することが可能な、新規かつ改良されたマルチバンド受信器を提供することにある。
【課題を解決するための手段】
【００１０】
上記問題を解決するために、本発明のある観点によれば、搬送波周波数が異なる第１の無線信号及び第２の無線信号を同時に受信するマルチバンド受信器において、第１の局部発信器によって、第２の無線信号の搬送波周波数近傍の周波数を有する中間周波数信号に、第１の無線信号を変換する高周波回路ユニットと、第２の局部発振器によって、中間周波数信号と第２の無線信号とのうち、いずれか一方をＤＣ信号に、他方をＬｏｗＩＦ信号に変換し、変換後のそれぞれの信号を、共通のアナログＩＱ直交復調器を用いてＩＱ信号に変換し、変換後のそれぞれのＩＱ信号をアナログ−デジタル変換する共通ＩＦ／ＢＢユニットとを備えるマルチバンド受信器が提供される。
【００１１】
上記高周波回路ユニットは、第１の無線信号が複数の信号である場合、この複数の信号を、第１の局部発信器によって、第２の無線信号の搬送波周波数近傍の周波数を有する複数の中間周波数信号に変換し、上記共通ＩＦ／ＢＢユニットは、第２の局部発振器によって、複数の中間周波数信号と第２の無線信号とのうち、いずれか一方をＤＣ信号に、他方をＬｏｗＩＦ信号に変換し、変換後のそれぞれの信号を、共通のアナログＩＱ直交復調器を用いてＩＱ信号に変換し、変換後のそれぞれのＩＱ信号をアナログ−デジタル変換することとしてもよい。
【００１２】
上記共通ＩＦ／ＢＢユニットは、第１の無線信号における第１の変調方式と第２の無線信号における第２の変調方式とが異なる場合に、第１の変調方式がＯＦＤＭ変調方式であれば、中間周波数信号をＤＣ信号に変換し、第２の変調方式がＯＦＤＭ変調方式であれば、第２の無線信号をＤＣ信号に変換することとしてもよい。
【発明の効果】
【００１３】
以上説明したように本発明によれば、受信性能の安定性を犠牲にすることなく、回路規模、消費電力及びコストの抑制を実現することが可能なマルチバンド受信器を提供することができる。
【発明を実施するための最良の形態】
【００１４】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１５】
（マルチバンド受信器１の構成）
まず、図１を参照して、本発明の実施形態に係るマルチバンド受信器について説明する。図１は、本発明の実施形態に係るマルチバンド受信器の構成を示す図である。
【００１６】
図１に示すように、本実施形態に係るマルチバンド受信器１は、図示しないアンテナと、第１高周波回路ブロック（ユニット）１０と、第２高周波回路ブロック（ユニット）２０と、共通ＩＦ／ＢＢブロック（ユニット）４０と、デジタル信号処理ブロック（ユニット）６０と、通信制御部７０と、図示しない上位レイヤとを含んで構成される。ここで、異なる搬送波周波数をＲＦ１とＲＦ２とする。
【００１７】
図示しないアンテナは、搬送波周波数ＲＦ１を有する第１の無線信号と搬送波周波数ＲＦ２を有する第２の無線信号とを受信する。アンテナは１つであってもよいし、複数であってもよい。
【００１８】
第１高周波回路ブロック１０は、帯域制限フィルタ１１と、低雑音増幅器１２と、ダウンコンバータミキサ１３と、第１の局部発振器３０とを含んで構成される。
【００１９】
帯域制限フィルタ１１は、図示しないアンテナが受信した搬送波周波数ＲＦ１を有する第１の無線信号の入力を受け付ける。帯域制限フィルタ１１は、入力された第１の無線信号に所定の帯域制限をかけることによって、所定の周波数帯域のみを通過させ、低雑音増幅器１２に出力する。
【００２０】
低雑音増幅器１２は、帯域制限フィルタ１１から第１の無線信号の入力を受け付け、入力された第１の無線信号を増幅してダウンコンバータミキサ１３に出力する。
【００２１】
第１の局部発振器３０は、所定の局部発振周波数ＬＯ１を有する局部発振信号を生成し、生成した局部発振信号をダウンコンバータミキサ１３に与える。
【００２２】
ダウンコンバータミキサ１３は、低雑音増幅器１２から第１の無線信号の入力を受け付け、入力された第１の無線信号を、第１の局部発振器３０から与えられた局部発振信号とのミキシングによって、第２の無線信号の搬送波周波数ＲＦ２近傍の周波数を有する中間周波数信号に変換する。ダウンコンバータミキサ１３は、中間周波数信号を共通ＩＦ／ＢＢブロック４０に出力する。ここで、第２の無線信号の搬送波周波数ＲＦ２近傍とは、第２の無線信号の搬送波周波数ＲＦ２と近い周波数を意味し、第２の無線信号の搬送波周波数ＲＦ２との差が、例えば、ＡＤ変換器４３の変換レートと比較して、数分の一程度である。
【００２３】
第２高周波回路ブロック２０は、帯域制限フィルタ２１と、低雑音増幅器２２とを含んで構成される。
【００２４】
帯域制限フィルタ２１は、図示しないアンテナが受信した搬送波周波数ＲＦ２を有する第２の無線信号の入力を受け付ける。帯域制限フィルタ２１は、入力された第２の無線信号に所定の帯域制限をかけることによって、所定の周波数帯域のみを通過させ、低雑音増幅器２２に出力する。
【００２５】
低雑音増幅器２２は、帯域制限フィルタ２１から第２の無線信号の入力を受け付け、入力された第２の無線信号を増幅して共通ＩＦ／ＢＢブロック４０に出力する。
【００２６】
共通ＩＦ／ＢＢブロック４０は、結合器４１と、アナログＩＱ直交復調器４２と、ＡＤ（アナログ−デジタル）変換器４３と、第２の局部発振器５０とを含んで構成される。
【００２７】
結合器４１は、ダウンコンバータミキサ１３から入力された中間周波数ＩＦ１を有する中間周波数信号と、低雑音増幅器２２から入力された搬送波周波数ＲＦ２を有する第２の無線信号とを合成する。
【００２８】
第２の局部発振器５０は、所定の局部発振周波数２ｎｄＬＯを有する局部発振信号を生成し、生成した局部発振信号をアナログＩＱ直交復調器４２に与える。
【００２９】
アナログＩＱ直交復調器４２は、結合器４１から合成後の信号の入力を受け付ける。アナログＩＱ直交復調器４２は、入力された合成後の信号を、第２の局部発振器５０から与えられた局部発振信号とのミキシングによって、中間周波数信号と第２の無線信号とのうち、いずれか一方をＤＣ信号に、他方をＬｏｗＩＦ信号（周波数ＬｏｗＩＦ１）に変換し、変換後のそれぞれの信号をＩＱ信号に変換する。アナログＩＱ直交復調器４２は、変換後のそれぞれのＩＱ信号をＡＤ変換器４３に出力する。
【００３０】
ここで、ＤＣ信号は、周波数０Ｈｚの信号である。周波数ＬｏｗＩＦ１は、低周波数であり、例えば、ＡＤ変換器４３の変換レートと比較して、数分の一程度の低い周波数である。
【００３１】
ＡＤ変換器４３は、アナログＩＱ直交復調器４２から変換後のそれぞれのＩＱ信号の入力を受け付ける。ＡＤ変換器４３は、入力された変換後のそれぞれのＩＱ信号をアナログからデジタルに変換する。
【００３２】
デジタル信号処理ブロック６０は、デジタルＩＱ直交復調器６１と、デジタルＢＢ部６２と、デジタルＢＢ部６３とを含んで構成される。
【００３３】
デジタルＩＱ直交復調器６１は、ＡＤ変換器４３からＬｏｗＩＦ信号の入力を受け付け、入力されたＬｏｗＩＦ信号のＩＱ復調を行う。デジタルＩＱ直交復調器６１は、ＩＱ復調後の信号をデジタルＢＢ部６２に出力する。
【００３４】
デジタルＢＢ部６２は、例えば、第１の無線信号の変調方式に対応したモデム等により構成され、入力された信号をベースバンド信号に変換する。
【００３５】
デジタルＢＢ部６３は、例えば、第２の無線信号の変調方式に対応したモデム等により構成され、入力された信号をベースバンド信号に変換する。
【００３６】
通信制御部７０は、第１の局部発振器３０が生成する局部発振信号の周波数を所定の値に設定する。また、通信制御部７０は、第２の局部発振器５０が生成する局部発振信号の周波数を所定の値に設定する。また、通信制御部７０は、デジタルＢＢ部６２及びデジタルＢＢ部６３から入力されたベースバンド信号を通信制御部７０に出力する。
【００３７】
図示しない上位レイヤは、通信制御部７０から入力されたベースバンド信号に基づいて、所定の無線通信サービスを実現するアプリケーションを実行する。
【００３８】
（マルチバンド受信器１の動作）
図２は、本発明の実施形態にかかる各信号の周波数配置（パターン１）を示す図である。図２を参照して（適宜図１参照）、図１に示したマルチバンド受信器の動作について説明する。
【００３９】
まず、搬送波周波数ＲＦ１を有する第１の無線信号は、帯域制限フィルタ１１及び低雑音増幅器１２を通過後、ダウンコンバータミキサ１３にて第１の局部発振器３０から生成された局部発振周波数ＬＯ１を有する局部発振信号とミキシング（乗算）される。これによって、中間周波数ＩＦ１を有する中間周波数信号が生成される。一方、搬送波周波数ＲＦ２を有する第２の無線信号は、帯域制限フィルタ２１及び低雑音増幅器２２を通過する。
【００４０】
結合器４１にて中間周波数ＩＦ１を有する中間周波数信号と搬送波周波数ＲＦ２を有する第２の無線信号とが合成される。このとき、搬送波周波数ＲＦ２は、図２（ａ）に示す位置であり、中間周波数ＩＦ１及び搬送波周波数ＲＦ１は、図２（ｂ）に示す位置である。搬送波周波数ＲＦ１は、搬送波周波数ＲＦ２の近傍である中間周波数ＩＦ１にまでダウンコンバートされている。これらの周波数の関係は、以下の関係式（数式１及び数式２）で表現される。
【００４１】
｜ＲＦ１−ＬＯ１｜＝ＩＦ１・・・（数式１）
｜ＩＦ１−ＲＦ２｜＝ＬｏｗＩＦ１・・・（数式２）
【００４２】
従って、中間周波数ＩＦ１を有する中間周波数信号と搬送波周波数ＲＦ２を有する無線信号とは、ＬｏｗＩＦ１程度の周波数間隔でしかないため、結合器４１で合成されることで、共通ＩＦ／ＢＢブロック４０にて同時に扱うことが可能となる。
【００４３】
アナログＩＱ直交復調器４２は、中間周波数信号と第２の無線信号とのうち、いずれか一方をＤＣ信号に、他方をＬｏｗＩＦ信号（周波数ＬｏｗＩＦ１）に変換し、変換後のそれぞれの信号をＩＱ信号に変換する。図２（ｃ）には、中間周波数ＩＦ１を有する中間周波数信号が、周波数ＬｏｗＩＦ１を有するＬｏｗＩＦ信号に変換され、搬送波周波数ＲＦ２を有する第２の無線信号が、ＤＣ信号に変換された例が示されている。
【００４４】
以上に示した構成によれば、異なる搬送波周波数を有する無線信号を同時に受信した場合、受信性能の安定性を犠牲にすることなく、第２の局部発振器５０、アナログＩＱ直交復調器４２、ＡＤ変換器４３といった構成を共通化できるので、回路規模、消費電力及びコストを抑制することが可能である。
【００４５】
（局部発振周波数２ｎｄＬＯの値）
搬送波周波数ＲＦ１を有する第１の無線信号における第１の変調方式と、搬送波周波数ＲＦ２を有する第２の無線信号における第２の変調方式とが異なる場合について考察する。この場合、アナログＩＱ直交復調器４２は、第１の変調方式がＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調方式であれば、中間周波数ＩＦ１を有する中間周波数信号をＤＣ信号に変換するのがよい。また、第２の変調方式がＯＦＤＭ変調方式であれば、搬送波周波数ＲＦ２を有する第２の無線信号をＤＣ信号に変換するのがよい。
【００４６】
図３は、本発明の実施形態にかかる各信号の周波数配置（パターン２）を示す図である。図２及び図３に示した例は、搬送波周波数ＲＦ１を有する第１の無線信号における第１の変調方式がＱＰＳＫ（Ｑｕａｄｒａｔｕｒｅ  Ｐｈａｓｅ  Ｓｈｉｆｔ  Ｋｅｙｉｎｇ）変調方式であり、搬送波周波数ＲＦ２を有する第２の無線信号における第２の変調方式がＯＦＤＭ変調方式であるとした場合である。この場合には、第２の変調方式がＯＦＤＭ変調方式であるので、図２（ｃ）に示すように、搬送波周波数ＲＦ２を有する第２の無線信号をＤＣ信号に変換するのがよい。
【００４７】
図２に示した例の場合、通信制御部７０は、局部発振周波数２ｎｄＬＯの値として、どのような値を設定すべきかを考察する。図２（ａ）及び図２（ｂ）を参照すると、中間周波数ＩＦ１が搬送波周波数ＲＦ２よりも大きいため、数式２におけるＩＦ１−ＲＦ２の値は正である。従って、数式２は、
【００４８】
ＩＦ１−ＲＦ２＝ＬｏｗＩＦ１・・・（数式２Ａ）
【００４９】
と変形できる。搬送波周波数ＲＦ２を有する第２の無線信号をＤＣ信号に変換するには、アナログＩＱ直交復調器４２にて使用される局部発振周波数２ｎｄＬＯの値として、搬送波周波数ＲＦ２の値を設定すればよいことになる。従って、数式２Ａより、
【００５０】
２ｎｄＬＯ＝ＲＦ２＝ＩＦ１−ＬｏｗＩＦ１・・・（数式３Ａ）
【００５１】
が成立する。以上により、通信制御部７０は、局部発振周波数２ｎｄＬＯの値として、数式３Ａで示される値を設定すればよい。
【００５２】
図３に示した例の場合、通信制御部７０は、局部発振周波数２ｎｄＬＯの値として、どのような値を設定すべきかを考察する。図３（ａ）及び図３（ｂ）を参照すると、搬送波周波数ＲＦ２が中間周波数ＩＦ１よりも大きいため、数式２におけるＩＦ１−ＲＦ２の値は負である。従って、数式２は、
【００５３】
ＲＦ２−ＩＦ１＝ＬｏｗＩＦ１・・・（数式２Ｂ）
【００５４】
と変形できる。搬送波周波数ＲＦ２を有する第２の無線信号をＤＣ信号に変換するには、図２に示した例の場合と同様に、アナログＩＱ直交復調器４２にて使用される局部発振周波数２ｎｄＬＯの値として、搬送波周波数ＲＦ２の値を設定すればよいことになる。従って、数式２Ｂより、
【００５５】
２ｎｄＬＯ＝ＲＦ２＝ＩＦ１＋ＬｏｗＩＦ１・・・（数式３Ｂ）
【００５６】
が成立する。以上により、通信制御部７０は、局部発振周波数２ｎｄＬＯの値として、数式３Ｂで示される値を設定すればよい。
【００５７】
図４は、本発明の実施形態にかかる各信号の周波数配置（パターン３）を示す図である。また、図５は、本発明の実施形態にかかる各信号の周波数配置（パターン４）を示す図である。図４及び図５に示した例は、搬送波周波数ＲＦ１を有する第１の無線信号における第１の変調方式がＯＦＤＭ変調方式であり、搬送波周波数ＲＦ２を有する第２の無線信号における第２の変調方式がＱＰＳＫ変調方式であるとした場合である。この場合には、第１の変調方式がＯＦＤＭ変調方式であるので、図４（ｃ）に示すように、中間周波数ＩＦ１を有する中間周波数信号をＤＣ信号に変換するのがよい。
【００５８】
図４に示した例の場合、通信制御部７０は、局部発振周波数２ｎｄＬＯの値として、どのような値を設定すべきかを考察する。図４（ａ）及び図４（ｂ）を参照すると、中間周波数ＩＦ１が搬送波周波数ＲＦ２よりも大きいため、数式２におけるＩＦ１−ＲＦ２の値は正である。従って、数式２は、
【００５９】
ＩＦ１−ＲＦ２＝ＬｏｗＩＦ１・・・（数式２Ｃ）
【００６０】
と変形できる。中間周波数ＩＦ１を有する中間周波数信号をＤＣ信号に変換するには、アナログＩＱ直交復調器４２にて使用される局部発振周波数２ｎｄＬＯの値として、中間周波数ＩＦ１の値を設定すればよいことになる。従って、数式２Ｃより、
【００６１】
２ｎｄＬＯ＝ＩＦ１＝ＲＦ２＋ＬｏｗＩＦ１・・・（数式３Ｃ）
【００６２】
が成立する。以上により、通信制御部７０は、局部発振周波数２ｎｄＬＯの値として、数式３Ｃで示される値を設定すればよい。
【００６３】
図５に示した例の場合、通信制御部７０は、局部発振周波数２ｎｄＬＯの値として、どのような値を設定すべきかを考察する。図５（ａ）及び図５（ｂ）を参照すると、搬送波周波数ＲＦ２が中間周波数ＩＦ１よりも大きいため、数式２におけるＩＦ１−ＲＦ２の値は負である。従って、数式２は、
【００６４】
ＲＦ２−ＩＦ１＝ＬｏｗＩＦ１・・・（数式２Ｄ）
【００６５】
と変形できる。搬送波周波数ＲＦ２を有する第２の無線信号をＤＣ信号に変換するには、図４に示した例の場合と同様に、アナログＩＱ直交復調器４２にて使用される局部発振周波数２ｎｄＬＯの値として、中間周波数ＩＦ１の値を設定すればよいことになる。従って、数式２Ｄより、
【００６６】
２ｎｄＬＯ＝ＩＦ１＝ＲＦ２−ＬｏｗＩＦ１・・・（数式３Ｄ）
【００６７】
が成立する。以上により、通信制御部７０は、局部発振周波数２ｎｄＬＯの値として、数式３Ｄで示される値を設定すればよい。
【００６８】
以上のような方法によって２ｎｄＬＯの値を設定することで、受信した無線信号のうち、ＯＦＤＭ変調方式が使用されている無線信号の受信方式はダイレクトコンバージョン方式となる。ＯＦＤＭ変調方式では、ＤＣ近傍のサブキャリア信号がないためＤＣオフセットによる復調特性劣化は無効となる。また、ＯＦＤＭ変調方式ではない方式が使用されている無線信号の受信方式では、数式２を満たす低いＬｏｗＩＦ信号のままＡＤ変換器４３にてデジタル信号に変換される。そのため、ＩＱ復調はデジタル信号処理によって実施される。従って、ＤＣオフセットや、ＩＱアンバランスなど復調劣化の要因がなくなるため、良好な復調特性が得られる。
【００６９】
以上のように、各変調方式によって局部発振周波数２ｎｄＬＯを設定することで、マルチバンド受信器は変調方式に適した復調方法を選択することが可能となり、受信性能の安定化を図ることが可能である。
【００７０】
図６は、本発明の実施形態にかかる各信号の周波数配置（パターン５）を示す図である。これは、図３に示した例において、搬送波周波数ＲＦ１を有する第１の無線信号が複数の信号（マルチキャリア）である場合について示したものである。この場合にも、マルチバンド受信器１の構成は特に変更する必要はない。第１高周波回路ブロック１０は、第１の無線信号（搬送波周波数ＲＦ１、ＲＦ３、ＲＦ４、・・・、ＲＦｎ）を、第１の局部発振器３０によって、第２の無線信号の搬送波周波数ＲＦ２近傍の周波数を有する複数の中間周波数信号（中間周波数ＩＦ１、ＩＦ３、ＩＦ４、・・・、ＩＦｎ）に変換すればよい。そして、共通ＩＦ／ＢＢブロック４０は、第２の局部発振器５０によって、複数の中間周波数信号（中間周波数ＩＦ１、ＩＦ３、ＩＦ４、・・・、ＩＦｎ）と第２の無線信号（搬送波周波数ＲＦ２）とのうち、いずれか一方をＤＣ信号に、他方をＬｏｗＩＦ信号に変換し、変換後のそれぞれの信号を、共通のアナログＩＱ直交復調器４２を用いてＩＱ信号に変換し、変換後のそれぞれのＩＱ信号をＡＤ変換器４３にてアナログ−デジタル変換すればよい。
【００７１】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【図面の簡単な説明】
【００７２】
【図１】本発明の実施形態に係るマルチバンド受信器の構成を示す図である。
【図２】同実施形態に係る各信号の周波数配置（パターン１）を示す図である。
【図３】同実施形態に係る各信号の周波数配置（パターン２）を示す図である。
【図４】同実施形態に係る各信号の周波数配置（パターン３）を示す図である。
【図５】同実施形態に係る各信号の周波数配置（パターン４）を示す図である。
【図６】同実施形態に係る各信号の周波数配置（パターン５）を示す図である。
【符号の説明】
【００７３】
１          マルチバンド受信器
１０        第１高周波回路ブロック
１１        帯域制限フィルタ
１２        低雑音増幅器
１３        ダウンコンバータミキサ
２０        第２高周波回路ブロック
２１        帯域制限フィルタ
２２        低雑音増幅器
３０        第１の局部発振器
４０        共通ＩＦ／ＢＢブロック
４１        結合器
４２        アナログＩＱ直交復調器
４３        ＡＤ変換器
５０        第２の局部発振器
６０        デジタル信号処理ブロック
６１        デジタルＩＱ直交復調器
６２        デジタルＢＢ部
６３        デジタルＢＢ部
７０        通信制御部
【図１】
2009239407.tif 000003
【図２】
2009239407.tif 000004
【図３】
2009239407.tif 000005
【図４】
2009239407.tif 000006
【図５】
2009239407.tif 000007
【図６】
2009239407.tif 000008